(57)【要約】【課題】  屋外で身体や衣服に付着した花粉を簡易な構造で効果的に除去して、屋内に持ち込まないようにし、花粉症患者の屋内での症状の緩和を図る。【解決手段】  本発明の花粉除去装置２は、出入口１１の軒天井１３の裏に送風機２１を設置し、送風機２１の吸気側には、軒天井１３の周縁部近傍を経由して外気を吸入する外気吸入経路２２を接続するとともに、送風機２１の排気側には、出入口１１の屋外側の側壁１４の内部に縦方向に配設したチャンバー２４を接続し、このチャンバー２４には前記側壁１４を貫通する吹出口２６を設ける。そして、この吹出口２６から吐出される空気を身体に側方から吹き付けることによって、身体や衣服に付着した花粉を出入口１１の屋外側にて飛散させうるように構成されている。【選択図】  図１
2007007504.tif 000002
【特許請求の範囲】
【請求項１】
出入口の近傍に送風機が設置され、送風機の吸気側には外気を吸入する外気吸入経路が接続されるとともに、送風機の排気側には出入口の屋外側の壁内部に配設されたチャンバーが接続され、このチャンバーには前記壁を貫通する吹出口が設けられて、
吹出口から吐出される空気を身体に側方から吹き付けることにより、身体や衣服に付着した花粉を出入口の屋外側にて飛散させうるように構成されたことを特徴とする花粉除去装置。
【請求項２】
送風機の吸気側には、出入口の屋内側の空気を吸入する内気吸入経路が接続され、この内気吸入経路は出入口の屋内側の壁面に開口して、この開口部に吸込みノズルが接続可能となされ、
出入口の屋内側にて身体や衣服に付着した花粉を吸込みノズルから吸引し、チャンバーを通じて屋外側へと排出しうるように構成されたことを特徴とする請求項１に記載の花粉除去装置。
【請求項３】
送風機は、出入口の軒天井裏、床下、または玄関収納のいずれかに設置されたことを特徴とする請求項１または２に記載の花粉除去装置。
【請求項４】
送風機の外気吸入経路は、軒天井の周縁部近傍を経由することを特徴とする請求項３に記載の花粉除去装置。
【請求項５】
送風機には、吸込みノズルを使用する際に外気吸入経路を閉鎖するシャッターが設けられたことを特徴とする請求項２〜４のいずれかに記載の花粉除去装置。
【請求項６】
吹出口は少なくとも上下二カ所に設けられて、上方の吹出口は床面からの高さが１２０ｃｍ〜１６０ｃｍの範囲に設けられ、下方の吹出口は床面からの高さが２０ｃｍ〜４０ｃｍの範囲に設けられたことを特徴とする請求項１〜５のいずれかに記載の花粉除去装置。
【請求項７】
身体に側方から吹き付ける空気の風速が２０ｍ／ｓ以上とされたことを特徴とする請求項１〜６のいずれかに記載の花粉除去装置。
【請求項８】
出入口には送風機に臨んで点検口が設けられたことを特徴とする請求項１〜７のいずれかに記載の花粉除去装置。
【請求項９】
吹出口には着脱自在な蓋体が取り付けられたことを特徴とする請求項１〜８のいずれかに記載の花粉除去装置。
【請求項１０】
送風機には塵芥除去用のエアフィルタが内装されたことを特徴とする請求項１〜９のいずれかに記載の花粉除去装置。
【発明の詳細な説明】
【技術分野】
【０００１】
本発明は、外出によって身体や衣服等に付着した花粉を除去するための花粉除去装置に関する。
【背景技術】
【０００２】
近年、花粉症の患者は年々増加傾向にあると言われている。しかし、花粉症の症状は一様ではなく、重度の花粉症患者にとっては仕事や日常生活に支障を来すこともあるため、治療法の開発、発症のメカニズムなどに関する研究が進められるとともに、花粉症の症状を緩和するための様々な対策も講じられている。
【０００３】
花粉の飛散する季節には屋外で花粉を吸い込んで症状を引き起こすことになるが、屋外だけでなく、身体や衣服、靴などに花粉を付着させたままにすることで、屋内にも花粉を持ち込んでしまい、屋内にいても花粉症の症状が出てしまう。したがって、花粉症患者は屋外ではマスクなどによって予防し、屋内ではできる限り花粉を入り込ませないようにして症状を緩和することが必要になる。そこで、例えば住宅においては、窓の開閉を減らして花粉が侵入しないようにしたり、帰宅時に身体や衣服に付着した花粉を十分に払い落とすようにしたりすることが好ましいとされている。
【０００４】
従来、このような身体や衣服に付着した花粉を除去する方法として、身体や衣服を手で叩くことによって付着している花粉を払い落とすようにするほか、花粉除去スプレーやブラシを用いて花粉を払い落としたり、ハンディクリーナーで花粉を吸い取ったりする方法が一般的であった。しかし、これらの方法では、花粉が付着した状態のまま一旦は屋内に入らなければならず、背中など手が届きにくい部分に付着した花粉まで完全に除去することができなかった。また、払い落とした花粉が屋内に舞い込んで花粉が持ち込まれるおそれもあるので、より効果的に花粉を除去する方法が求められていた。
【０００５】
そこで、本出願人は屋内に花粉を持ち込まないようにするために、帰宅時に付着花粉を除去しうるような住宅の開発を進めてきた。また、住宅において花粉を除去しうるものとして、例えば特許文献１には、集合住宅の建物の一角に除塵室を設けて屋内への花粉の持ち込みを防止することが提案されており、特許文献２には、玄関と居室との間に除塵室を設けることが提案されている。
【０００６】
この種の除塵室は、空気取入口と排気口とを備えた密閉空間とされ、空気取入口から吸入された空気を空気吹出口から噴出させて花粉を吹き飛ばし、排気口から排出させるように構成されている。そして、帰宅時には一度、除塵室を経由してから各住戸に入ることで、花粉が屋内に持ち込まれるのを防止するように意図されている。
【特許文献１】特開平８−２８５３４６号公報
【特許文献２】特開２００１−４１５２２号公報
【発明の開示】
【発明が解決しようとする課題】
【０００７】
しかし、一般に花粉症は原因となる花粉の飛ぶ季節にだけ症状が起こる季節性のものであり、住宅のような比較的小規模な建物に、花粉飛散期の症状を緩和するためだけに除塵室を設けることは、居住スペースとの面積配分や花粉飛散期以外における除塵室の用途を考慮すると現実的ではなく、それほどまでにコストをかけられないという実状がある。すなわち、除塵室というような大がかりな設備ではなく、より簡易な構造で花粉を容易に除去できるようにすることが必要であった。
【０００８】
そこで本発明は、上記のような事情にかんがみてなされたものであり、屋外で身体や衣服に付着した花粉を簡易な構造で容易に除去して、屋内での花粉症患者の症状を緩和することのできる花粉除去装置を提供するものである。
【課題を解決するための手段】
【０００９】
上記した目的を達成するため、本発明に係る花粉除去装置は、出入口の近傍に送風機が設置され、送風機の吸気側には外気を吸入する外気吸入経路が接続されるとともに、送風機の排気側には出入口の屋外側の壁内部に配設されたチャンバーが接続され、このチャンバーには前記壁を貫通する吹出口が設けられて、吹出口から吐出される空気を身体に側方から吹き付けることにより、身体や衣服に付着した花粉を出入口の屋外側にて飛散させうるように構成されたことを特徴としている。
【００１０】
この構成によれば、出入口から屋内へ入る人は吹出口の前に立ち、吐出される空気を身体に吹き付けるだけで、屋外で身体や衣服に付着した花粉を吹き飛ばして除去することができる。特に、背中などの手が届きにくい部分も、吹出口の方向へ体を向けるだけで空気を当てて花粉を吹き飛ばすことができ、容易に花粉を除去することができる。また、花粉を出入口の屋外側で除去するので、屋内へ花粉が持ち込まれるのを防ぎ、花粉症の症状の緩和を図ることができる。
【００１１】
また、本発明に係る花粉除去装置は、送風機の吸気側に、出入口の屋内側の空気を吸入する内気吸入経路が接続され、この内気吸入経路は出入口の屋内側の壁面に開口して、この開口部に吸込みノズルが接続可能となされ、出入口の屋内側にて身体や衣服に付着した花粉を吸込みノズルから吸引し、チャンバーを通じて屋外側へと排出しうるように構成されたことを特徴としている。
【００１２】
この構成によれば、屋外で身体や衣服に付着した花粉を出入口の屋内側でも吸い取ることができ、吸い取られた花粉はそのまま屋外側へ排出されるので、花粉が屋内へ持ち込まれるのを防ぎ、屋内での花粉症の症状を緩和することができる。
【００１３】
本発明において、前記構成の送風機は、出入口の軒天井裏、床下、または玄関収納のいずれかに設置されることが好ましい。また、送風機の外気吸入経路は、軒天井の周縁部近傍を経由するように設けられることが好ましい。
【００１４】
このように構成されることで、出入口付近の美観を損なうことなく送風機を設置することができ、施工管理上も都合がよく、吸気側および排気側の経路を短い経路で効率よく適切に配設することができる。
【００１５】
また、前記構成の花粉除去装置において、送風機には、吸込みノズルを使用する際に外気吸入経路を閉鎖するシャッターが設けられていることが好ましい。これにより、吸込みノズルの使用時には、送風機への吸気経路を外気吸入経路から内気吸入経路へと切り替えることができる。
【００１６】
また、吹き付ける空気と身体との高さ関係を考慮して、吹出口は少なくとも上下二カ所に設けられて、上方の吹出口は床面からの高さが１２０ｃｍ〜１６０ｃｍの範囲に設けられ、下方の吹出口は床面からの高さが２０ｃｍ〜４０ｃｍの範囲に設けられるようになされていてもよい。
【００１７】
このような構成により、上方の吹出口からは身体の上半身に向けて空気が吐出され、下方の吹出口からは下半身や靴に向けて空気が吐出されることになり、効果的に花粉を除去することができる。
【００１８】
また、本発明においては、吹出口から吐出されて身体に側方から吹き付けられる空気の風速が２０ｍ／ｓ以上とされることが好ましい。これにより、身体や衣服に付着した花粉を飛散させるに足る空気とすることができ、効果的に花粉を除去することが可能になる。
【００１９】
また、送風機に臨んで軒天井に点検口が設けられることにより、メンテナンスが容易に行えるように構成されていてもよい。
【００２０】
また、本発明の花粉除去装置においては、粉塵や虫等がチャンバーに侵入するのを防ぐために、吹出口に蓋体が着脱自在に取り付けられてもよい。さらに、上記構成において送風機には、塵芥除去用のエアフィルタが内装されていることが好ましく、これにより吹出口からの吐出空気を清浄なものにすることができる。
【発明の効果】
【００２１】
上述のように構成される本発明の花粉除去装置によれば、屋外で身体や衣服に付着した花粉を簡易な構造で効果的に除去することができ、花粉を屋内に持ち込まれるのを防止して、花粉症患者の屋内での症状を緩和することができる。
【００２２】
また、送風機の吸気側に外気吸入経路とともに内気吸入経路を接続すれば、屋外側の吹出口で花粉を飛散させるようにして、屋内側の吸込みノズルから花粉を吸引することができ、１システムで効率よく花粉の除去を行うことができる。
【発明を実施するための最良の形態】
【００２３】
以下、本発明に係る花粉除去装置を実施するための最良の形態について、図面を参照しつつ説明する。
【００２４】
図１および図２は本発明の花粉除去装置を設けた住宅の玄関部分を示し、図１は玄関扉に直交する方向の説明図、図２は玄関扉に平行な方向の断面図である。また、図３はポーチの側壁の部分断面図である。
【００２５】
この花粉除去装置２は、住宅の出入口に設けられて、身体や衣服に付着した花粉を玄関の外側で飛散させて除去したり、また、玄関で花粉を吸引して屋外へ排出したりするのに用いるように構成されている。
【００２６】
例示の形態において、花粉除去装置２は送風機２１を備えており、住宅１の玄関ポーチ１２上部の軒天井１３の裏に設置されている。送風機２１は駆動用モータ２１１を装備し、空気を吹き出すためのファンや、塵芥除去用のエアフィルタ等が内蔵され、軒天井１３の裏に配設された吊木等に固定されている。また、軒天井１３には送風機２１に臨むように点検口１３１が設けられ、送風機２１等のメンテナンスが随時行えるようになされている。
【００２７】
この送風機２１の吸気側には、外気吸入経路２２が設けられるとともに、送風機２１の排気側にチャンバー２４が接続されている。外気吸入経路２２は、ポーチ１２の軒天井１３の周縁部近傍を経由して外気を吸入する吸気経路であり、図１に示すように、玄関扉１１ａの屋外側上部に配設された外気吸入口１３２を介して外気が流入しうるようになされている。また、この外気吸入経路２２を適宜閉鎖しうる図示しないシャッターが、送風機２１には備えられている。
【００２８】
送風機２１の排気側のチャンバー２４は、ポーチ１２に設けられた側壁１４の内部に、縦方向に配設されており、側壁１４の断熱層に連続するようにチャンバー２４の外周面に断熱材２４１が施されている。このチャンバー２４と送風機２１とは、軒天井裏に配設された送風ダクト２５によって接続されている。
【００２９】
かかるチャンバー２４には側壁１４を貫通する複数の吹出口２６が縦方向に連設されている。各吹出口２６は縦長スリット形状に形成されて、吹出口２６内に吹出口チャンバー２４２が収められて壁体内のチャンバー２４に接続されている。
【００３０】
これらの吹出口２６は、除塵された空気を吐出し、身体に吹き付けるのに用いられる。このため、例示の形態では、吹出口２６は縦方向に三カ所に設けられ、床面からの高さが、上部の吹出口２６は１２０ｃｍ〜１６０ｃｍの範囲に縦長スリット状に形成されており、身体の頭部を含めた上半身に空気が吹き付けられるように構成されている。また、中央部の吹出口２６は６０ｃｍ〜１００ｃｍの範囲の高さ位置に、下部の吹出口２６は２０ｃｍ〜４０ｃｍの範囲の高さ位置に設けられて、それぞれ、腰部や、足および靴に空気が吹き付けられるように意図されている（高さ位置をご指示ください）。
【００３１】
また、各吹出口２６には蓋体２６１が着脱自在に取り付けられており、吹出口２６の不使用時にチャンバー２４内へ粉塵や虫等が入るのを防いでいる。さらに、上部の吹出口２６は、上端内面が屋外側下方へ傾斜したテーパ状に形成されていてもよい。これにより、身体の上半身方向に吐出される空気の向きを調整することができる。また、住宅に入る人の身長の差を考慮して、少なくとも上部の吹出口２６は吐出空気の方向を変えられるように、吹出口２６に整流羽根を設けた構造とされていてもよい。
【００３２】
また、かかる花粉除去装置２の送風機２１の吸気側には、玄関１１の屋内側の空気を吸入する内気吸入経路２３が接続されている。図示するように、この内気吸入経路２３は、ポーチ１２の軒天井裏から玄関１１の屋内側の壁体内にかけて配設され、玄関１１の側壁面に開口している。この内気吸入経路２３の開口部２３１は、住宅１の屋内側のできるだけ玄関１１に近い場所に設けられており、靴を脱いだり、上着を脱いだりする時に手の届く範囲内にあることが望ましい。また、この開口部２３１は適宜、開閉できるように形成されており、開放したときに吸込みノズル２７が接続可能となされている。
【００３３】
吸込みノズル２７は、吸込口が先端方向に向けて狭小となる形状で、可撓性のある吸込みホース２７１に接続され、開口部２３１に嵌脱しうるように構成されていることが好ましい。
【００３４】
このような構成とされる花粉除去装置２は、送風機２１への吸気経路を外気吸入経路２２と内気吸入経路２３とのいずれかに切り替えることで、花粉を飛散させて除去するブロアと、花粉を吸引して除去するクリーナーとに使い分けることができる。これらの花粉除去機能の使い分けは、例えばポーチ１２の側壁１４や屋内側の壁面にスイッチボックスを設けて、必要時にスイッチ操作することによって、ブロアとクリーナーとの機能を切り替えるようになされている。
【００３５】
そして、ポーチ１２において花粉を除去する際には、送風機２１を作動させると、送風機２１によって吸引された屋外空気がエアフィルタによって除塵され、送風ダクト２５を経てチャンバー２４に導入される。この空気はチャンバー２４に導入された後、吸気密度が高められ、チャンバー２４に連通するスリット状の各吹出口２６から吐出される。このとき、身体に吹き付けられる空気の風速は、吹出口２６から水平方向に５０ｃｍの位置において、花粉を吹き飛ばしうる風速とされる約２０ｍ／ｓ以上の風速を確保することが好ましい。
【００３６】
これにより、住宅１に入る人はポーチ１２において、吹出口２６の前に立ち、吐出される清浄な圧縮空気を身体に当てるだけで、身体や衣服に付着している花粉を吹き飛ばし、除去することができる。特に、背中などの手が届きにくい部分も、吹出口２６の方向へ向けるだけで容易に花粉を除去することができるので、身体や衣服からほぼ完全に花粉を取り除くことができる。したがって、住宅１内へ持ち込まれる花粉量を大幅に減少させ、室内での花粉症の症状を緩和させることができる。
【００３７】
また、かかる花粉除去装置２をクリーナーとして、屋内側に設けられた吸込みノズル２７を使用する際には、送風機２１に設けられたシャッターを閉鎖させ、外気吸入経路２２と絶縁された状態で送風機２１を作動させる。そして、吸込みノズル２７を身体や衣服の表面に当て、送風機２１による負圧の吸引力を利用して、付着している花粉を吸引し、チャンバー２４を通じて住宅１の屋外側へ排出させる。
【００３８】
このとき、吸込みノズル２７は、玄関１１の手の届く範囲にあり、可撓性の吸込みホース２７１で開口部２３１に接続されているので、玄関１１から室内へ上がる前に使用することができ、住宅内へ持ち込まれる花粉量を大幅に減少させることができる。また、玄関１１の内側に吸込みノズル２７が設けられているので、天候に左右されずに花粉の除去作業を行うことができ、利便性も高められる。
【００３９】
そして、このように屋外側のポーチ１２で身体や衣服に付着している花粉を、吹出口２６から吐出される空気によって除去することができ、さらに屋内側の玄関１１では、吸込みノズル２７を用いて、屋外側で除去しきれなかった花粉を局所的に吸引して除去するというような使い方もできるので、身体等に付着していた花粉を隈無く取り除くことが可能とされる。
【００４０】
なお、上記の説明において、花粉除去装置２は住宅１の玄関１１に設けられたが本発明はこれに限定されず、建物出入口であればどのような場所に設けられてもよい。したがって、送風機２１はポーチ１２の軒天井裏に設置されるだけでなく、出入口の屋外側の軒天井裏であれば同様の作用をなす構成とすることができる。
【産業上の利用可能性】
【００４１】
本発明は住宅等の建物において花粉が屋内に持ち込まれるのを防止して、花粉症の症状を緩和するのに好適に利用することができる。
【図面の簡単な説明】
【００４２】
【図１】本発明に係る花粉除去装置の一例を示す説明図である。
【図２】図１に示す玄関ポーチの正面方向の断面図である。
【図３】ポーチの側壁の部分断面図である。
【符号の説明】
【００４３】
１      住宅
１１    玄関
１２    ポーチ
１３    軒天井
１３１  点検口
１４    側壁
２      花粉除去装置
２１    送風機
２２    外気吸入経路
２３    内気吸入経路
２３１  開口部
２４    チャンバー
２５    送風ダクト
２６    吹出口
２６１  蓋体
２７    吸込みノズル
【図１】
2007007504.tif 000003
【図２】
2007007504.tif 000004
【図３】
2007007504.tif 000005